(57)【要約】【課題】熱交換器の寿命を向上するためのものである。【解決手段】熱交換器とそれを用いた衛生洗浄装置は、発熱体の外周に設けた流路に流向を旋回方向に変換する螺旋状のガイドを設置することで、流路を流れる水の流速を早くし、発熱体の表面温度を低下させ、発熱体などに堆積するスケールなどの付着量を低減することができ、小型で高効率を実現しかつ長寿命とすることができる。【選択図】図１
2005226897.tif 000002
【特許請求の範囲】
【請求項１】
発熱体の外周に設けた流路と、前記流路を構成するケースと、前記流路に流向を旋回方向に変換する螺旋状のガイドを備えた熱交換器。
【請求項２】
螺旋状のガイドは、ピッチを不均一とした請求項１に記載の熱交換器。
【請求項３】
螺旋状のガイドは、発熱体の表面温度が所定温度以上になる領域でピッチを狭くする請求項２に記載の熱交換器。
【請求項４】
螺旋状のガイドは、流路の下流側でピッチを狭くする請求項２または３に記載の熱交換器。
【請求項５】
螺旋状のガイドは、流路の下流側に向かって連続的にピッチを狭くする請求項２〜４のいずれか１項に記載の熱交換器。
【請求項６】
螺旋状のガイドは、流路の下流側に向かって断続的にピッチを狭くする請求項２〜４のいずれか１項に記載の熱交換器。
【請求項７】
請求項１から６記載の熱交換器を備えた衛生洗浄装置。
【発明の詳細な説明】
【技術分野】
【０００１】
本発明は、冷水を温水に加熱するヒータを備えた熱交換器と、それを用いて人体の局部を洗浄する衛生洗浄装置に関するものである。
【背景技術】
【０００２】
従来、この種の熱交換器は、図１１に示すように、円筒状の基材パイプ１と外筒２からなる二重管構造をしている。そして、基材パイプ１の外面の一部にはヒータ部３が設けられている。また、基材パイプ１の内孔４には、らせん中子５が挿入されている（例えば、特許文献１参照）。
【０００３】
上記構成において、流体としての水は、基材パイプ１の内孔４を流れるものであり、その際、水は基材パイプ１の内孔４に挿入されたらせん中子５のねじ山６に沿って流れるものであり、ヒータ部からの熱と熱交換されて温水が吐出されるものである。
【特許文献１】特開２００１−２７９７８６号公報
【発明の開示】
【発明が解決しようとする課題】
【０００４】
しかしながら、前記従来の構成では、基材パイプの外にヒータ部を設けているために、ヒータ部を熱絶縁して囲うための外筒が必要となり大きな構成となっていた。また、ヒータ部の熱が外部へ逃げるため熱交換効率が悪いという課題があった。さらに、内孔にらせん中子を挿入して保持するためには、ヒータ部がある基材パイプ内面に接触する必要があり、らせん中子は熱的に強固な材質にしなければならないという制限があった。
【０００５】
本発明は、小型で熱交換効率のよい熱交換器とそれを用いた衛生洗浄装置において、螺旋状のガイドを設けることで発熱部のスケール付着を低減することを目的とする。
【課題を解決するための手段】
【０００６】
前記従来の課題を解決するために、本発明の熱交換器とそれを用いた衛生洗浄装置は、発熱体の外周に設けた流路と、前記流路を構成するケースと、前記流路に流向を旋回方向に変換する螺旋状のガイドを備えたものである。
【０００７】
これによって、発熱体の外周に流路を設けることで熱絶縁が流路によって行われるので、熱的な絶縁層を設ける必要がなく小型にすることができる。そして、発熱部を流路で囲うことで外部へ熱を逃がさない構成とすることができ、熱交換効率を高めることができる。
【０００８】
また、流路に設けた螺旋状のガイドは、温度の低いケース内壁などで保持することができるので樹脂などの耐熱性が弱い材質でも使用することができるので加工性に優れ、軽量とすることができる。
【０００９】
そして、螺旋状のガイドによって、流路内を流れる水の向きを旋回方向に変えることで、見かけ上の流路断面積が減少することから、同じ流量の水を流路に流した場合、流速を速めることができる。流速が速くなると、水と発熱体の境界層が狭くなることで、発熱体表面温度の上昇を防ぐことができるので、発熱部表面に発生するスケールなどの付着を低減することができる。また、流速が速いので、スケールを堆積させずに、熱交換器外へ流水と一緒に排出させることができる。
【００１０】
さらに、流路内を流れる水の向きをスムーズにかつ旋回方向に導くため、圧力損出が少ない熱交換器を実現できる。
【発明の効果】
【００１１】
本発明の熱交換器とそれを備えた衛生洗浄装置は、発熱体の外周に設けた流路に螺旋状のガイドを設置することで、流路内を流れる水の流速を速め、発熱部表面や流路内に発生するスケールなどの付着を減少することができ、小型で高効率を実現しかつ長寿命とすることができる。
【発明を実施するための最良の形態】
【００１２】
第１の発明は、発熱体の外周に設けた流路と、前記流路を構成するケースと、前記流路に流向を旋回方向に変換する螺旋状のガイドを備えた構成とすることにより、見かけ上の流路断面積が減少することで、流路内を流れる水の流速を速め、発熱部表面や流路内に発生するスケールなどの付着物を減少することができ、小型で高効率を実現しかつ長寿命とすることができる。さらに、螺旋状のガイドにより、流路内を流れる水の向きをスムーズかつ旋回方向に導くため、圧力損出が少ない熱交換器を実現できる。
【００１３】
第２の発明は、特に、第１の発明の、螺旋状のガイドのピッチを不均一とした構成とすることにより、部分的にピッチを広くすることで、流路の圧力損失を低減することができる。
【００１４】
第３の発明は、特に、第２の発明の、螺旋状のガイドの、発熱体の表面温度が所定温度以上になる領域でピッチを狭くする構成とすることにより、発熱体の温度が高くなる領域の流速を速めることができるので、効果的に発熱体の温度が過剰に上昇することを防ぐことができ、スケール付着量を低減することができる。
【００１５】
第４の発明は、特に、第２または３の発明の、螺旋状のガイドの、流路の下流側でピッチを狭くする構成とすることにより、比較的スケール付着が発生しやすい下流側におけるスケールの付着を軽減することができるとともに、全域の流路を狭くするよりも流路の圧力損失を少なくすることができる。
【００１６】
第５の発明は、特に、第２から４の発明の、螺旋状のガイドの流路の下流側に向かって連続的にピッチを狭くする構成とすることにより、スケール付着が発生しやすい下流に行くにしたがって連続的に流速が速くなり、効果的にスケールの付着を軽減することができるとともに、全域の流路を狭くするよりも流路の圧力損失を少なくすることができる。
【００１７】
第６の発明は、特に、第２から４の発明の、螺旋状のガイドの流路の下流側に向かって断続的にピッチを狭くする構成とすることにより、スケール付着が発生しやすい下流に行くにしたがって断続的に流速が速くなり、効果的にスケールの付着を軽減することができるとともに、全域の流路を狭くするよりも流路の圧力損失を少なくすることができる。
【００１８】
第７の発明は、特に、第１から第６の発明の熱交換器を備えた衛生洗浄装置は、熱交換器を小型化することで衛生洗浄装置本体の小型化が実現でき、狭いトイレ空間にも容易に設置することができるとともに、スケールの付着を早期に防止することで、衛生洗浄装置の洗浄ノズルにスケール破片が詰まることを防止でき、長寿命で、かつ動作不良の発生しにくい装置とすることができる。
【００１９】
以下、本発明の実施の形態について、図面を参照しながら説明する。なお、本実施の形態によって本発明が限定されるものではない。
【００２０】
（実施の形態１）
図１は、本発明の第１の実施の形態における熱交換器の断面図を示すものである。
【００２１】
図１において、熱交換器は、流体としての水を加熱する発熱体としてのシーズヒータ７と、シーズヒータ７の外周を囲って流路８を構成するケース９と、流路８内の水の流れを旋回方向へと誘うための螺旋状のガイドである螺旋バネ１０で構成されている。そして、流入口１１と、流出口１２と、シーズヒータの電極端子１３、１４と、流路をシールするためのＯリング１５を備えている。また、図中１６の矢印は水の流れを示す。
【００２２】
以上のように構成された熱交換器について、以下その動作、作用を説明する。
【００２３】
まず、発熱体であるシーズヒータ７は、図２に示すように、酸化マグネシウム（図示せず）が封入された銅パイプ１７の中に電熱線１８がコイル状に配設されているものである。そして、その電熱線１８と接続された電極端子１３、１４に電気を通電することで電熱線１８が加熱され、酸化マグネシウムを介して銅パイプ１７に熱が伝わることで、銅パイプ１７の外周を流れる水が加熱されて温水となり、熱交換されるものである。
【００２４】
この際、水は、図３に示すように、ケース９の中心から偏芯した側面位置に設けた流入口１１から入水し、銅パイプ１７の外周に流れ込み、さらに、銅パイプ１７の外周に沿って螺旋状に配置した螺旋バネ１０によって、銅パイプ１７の外周を矢印１６のように旋回して流れ、再びケース９の中心から偏芯した側面位置に設けた吐出口１２より吐出されることになる。
【００２５】
ここで、螺旋状に配置する螺旋バネ１０は、見かけ上の流路断面積である螺旋バネ１０のピッチ間およびシーズヒータ７とケース９との間隙で構成される流路断面積が、ケース９と銅パイプ１７の間に構成されたドーナツ状の流路の断面積より狭くなるような方向およびピッチで旋回させるようにした。この結果、螺旋バネ１０に沿って螺旋状に流れる旋回流１６の流速が、螺旋バネ１０がない場合に比べて速くなる。例えば、シーズヒータ７の外径がφ６．５ｍｍ、ケース９の内径がφ９ｍｍ、バネ１０のピッチが６ｍｍの場合、螺旋バネ１０がない場合の流路断面積が約３０ｍｍ２であるのに対して、螺旋バネ１０を用いた場合の見かけ上の流路断面積は約７．５ｍｍ２となるため、同じ流量を流した場合、流速を約４倍とすることができる。また、水の流れ１６を旋回状にすることで、流路断面積を小さくしても比較的圧力損失が増えることがない。さらに、流入口１１と流出口１２をケース９の中心から偏芯した側面位置に設けたことおよび螺旋状のガイドとしたことで、流路８内の水の流れ１６をスムーズに旋回方向へ誘うことができるため、圧力損失を低減することができる。
【００２６】
また、流体が流れる距離が長くなると、徐々に整流効果が働き、旋回力が弱まってシーズヒータ７に沿った流れとなる。その場合、流路断面積が広くなるため、流速が低下する。しかし、本発明では、螺旋バネ１０により流出口１２まで旋回流が持続する構成とすることで、速い流速を持続可能であるので、流路８内の銅パイプ１７と流体である水の境界層の領域が全域に渡り非常に狭くなる。その様子を示す流速分布図を、図４と図５に模式的に示す。図４に示すように、流速が遅い場合、境界層１９が広くなるが、流速が速く水の流れが乱流になると、図５に示す流速分布の境界層２０のように狭くなるため、銅パイプ１７の表面温度が過剰に上昇することがない。一般的に、スケール成分は温度が高いほど析出量が増えるため、本実施例のように流路８内を流れる水の流速を早め、銅パイプ１７と水との境界層の領域を狭くすることで、銅パイプ１７の表面温度の上昇を抑えることが可能となり、結果として銅パイプ１７に付着するスケール量を減少することができる。なお、本実施例では、スケール量低減効果を高めるために、螺旋状のガイドである螺旋バネ１０によって乱流となるまで流速を高める構成としたが、層流のままであっても、螺旋状のガイドである螺旋バネ１０によって流速を早めることで、銅パイプ１７と水の境界層の領域を狭くすることができるため、スケール低減効果を得ることができる。
【００２７】
さらに、スケールが銅パイプ１７に析出した場合でも、流路８内を流れる水の流速が速いため、析出したスケールを下流側に流す効果があるとともに、スケールが小さく砕かれて下流側に流れていくので、下流側で詰まることがない。そして、熱交換器内にスケールが付着しにくくなることによって、熱交換器としての寿命を延ばすことができる。また、螺旋状のスムーズな流れとすることで、速い流速でありながら、流路８の圧損を少なく実現できるとともに、銅パイプ１７と水との境界層を狭くすることで熱交換効率を向上することができ、小型化を実現することができる。
【００２８】
このように、発熱体であるシーズヒータ７の外周に設けたケース９によって流路８を構成し、その流路８に螺旋状のガイドである螺旋バネ１０を備えた構成とすることにより、流路８内を流れる水の流速を速めることができ、銅パイプ１７の表面に発生するスケールなどの付着物を剥離あるいは粉砕することができる。また、流速を早め、銅パイプ１７と水との境界面が狭くなることで、小型で高効率を実現し、かつスケール付着を低減して長寿命とすることができる。また、流速を速くすることで、気泡の発生を低減し、スケールの発生を抑制すると共に、銅パイプ１７表面の温度を低く抑えることができるので、沸騰音の発生を低減することができる。そして、発熱体であるシーズヒータ７の外周に流路８を設けることで熱絶縁が流路８によって行われるので、熱的な絶縁層を設ける必要がなく小型にすることができる。また、発熱部を流路８で囲うことで外部へ熱を逃がさない構成とすることができ、熱交換効率を高めることができる。
【００２９】
また、螺旋状のガイドである螺旋バネ１０を、発熱体であるシーズヒータ７やケース９とは別部材を用いた構成にすることによって、螺旋バネ１０は、シーズヒータ７あるいはケース９に完全固定せずに、螺旋バネ１０の一部が摺動自由の状態で保持されることによって、流れから受ける流力とバネ力などによって振動するため、スケールを剥離する効果を得ることができる。
【００３０】
さらに、水道水のスケール成分の少ない地域や、水道水圧の低い地域で使用する場合は、低圧損となるように、別部材の螺旋バネ１０を取り外して、螺旋バネ１０を圧力損失が小さくなるように形状を変更したり、取り付ける場所を流速の遅くなる場所に取り付けたりすることで、低圧損かつ流速を速めることでスケールの付着を防止することができる。また、異常時の交換も容易となるので、メンテナンス性を向上させることができる。
【００３１】
また、螺旋バネ１０は、発熱体であるシーズヒータ７との間に間隙を設けた構成とすることにより、螺旋バネ１０はシーズヒータ７に直接接触しないので、熱が螺旋バネ１０に伝熱されにくくなり、螺旋バネ１０の熱損傷を防げ、長寿命とすることができる。さらに、熱が螺旋バネ１０に伝熱されにくくなるので、樹脂などの耐熱性が弱い材質でも使用することができる。よって、螺旋バネ１０は加工性のしやすい材料で製造することができ、軽量とすることができる。なお、螺旋バネ１０は、全ての範囲においてシーズヒータ７との間に間隙を設ける必要はなく、例えば、螺旋バネ１０とシーズヒータ７とが一部で接していても何ら問題はない。ただし、その場合は、螺旋バネ１０を非金属とするか、シーズヒータ７のシースの材質と同じ金属とすることが、腐食を防ぐために望ましい。
【００３２】
また、螺旋バネ１０は、ケース９内壁との間に間隙を設けた構成とすることにより、螺旋バネ１０を介してシーズヒータ７からの熱がケース９へ伝熱されにくくなるので、ケース９の熱損傷が発生しにくくなり、長寿命とすることができる。さらに、水は遠心力によって、ケース９内壁に沿って流れようとするため、剥離したスケールはケース９内壁に沿って流れ、螺旋バネ１０に引っかかり再び銅パイプ１７表面に堆積するのを防止でき、長寿命とすることができる。なお、螺旋バネ１０は、全ての範囲においてケース９内壁との間に間隙を設ける必要はなく、例えば、螺旋バネ１０とケース９内壁とが一部で接していても何ら問題はない。
【００３３】
さらに、螺旋バネ１０は、シーズヒータ７およびケース９内壁の両方と間隙を有する構成とすることにより、組み立て性を向上させることができる。
【００３４】
なお、シーズヒータ７のシースの材質を銅パイプで説明したが、ＳＵＳパイプなど他の金属パイプでも同様の効果がある。そして、螺旋状のガイドとして螺旋バネで説明したが、金属の螺旋バネやバネ性を持たない螺旋線や樹脂性の同等形状のものでも同様である。さらに、衛生洗浄装置に用いる場合は、流量が１００から２０００ｍＬ／分程度であるため、銅パイプ１７は外径が、φ３から２０ｍｍ程度で、螺旋のピッチは３から２０ｍｍ程度がよい。ケース９の内径は、φ５から３０ｍｍの範囲で、流速を速めた構成とすることができる。また、螺旋状のガイドに螺旋バネを用いる場合は、螺旋バネの線径が、０．１から３ｍｍ程度のものがよく加工性にも優れている。なお、本実施例では、螺旋状のガイドとして螺旋バネ１０を用いているが、ケース９やシーズヒータ７と一体とする構成としても良い。また、螺旋バネ１０を流路の一部に設け、圧力損失をさらに減らす構成としても良い。
【００３５】
また、本実施例では螺旋状のガイドとして螺旋バネ１０で説明したが、バネ以外の流れを螺旋状に変換させる翼やガイドのようなものでもスケールの付着低減効果は得られる。
【００３６】
（実施の形態２）
図６は本発明の第２の実施の形態の熱交換器の断面図である。第１の実施の形態に示した図１と異なる点は、螺旋状のガイドである螺旋バネ２１を銅パイプ１７の表面温度が所定温度以上になる領域で螺旋バネ２１のピッチを狭く、それ以外の領域で螺旋バネ２１のピッチを広くした点である。その他は図１に示した実施の形態１と同様であり、同一番号を伏して詳細な説明を省略する。
【００３７】
以上のように構成された熱交換器について、以下その動作、作用を説明する。
【００３８】
シーズヒータ７は、図２に示すようにコイル状の電熱線１８が加熱されることで水を加熱しているが、電熱線１８同士での熱干渉などによって中央部が最も温度が上昇する性質を持っている。また、水が熱交換されることによって下流側ほど水の温度が高く、かつ水と共に銅パイプ１７の表面温度も上昇していく。これらのことから、図６に示す領域Ａの部分、すなわち、シーズヒータ７の中央よりやや下流側を中心とする領域で銅パイプ１７の表面温度が他の部分よりも上昇し、その結果領域Ａでのスケール付着量が増加することになる。
【００３９】
そこで、本実施例では、銅パイプ１７の表面温度が所定温度以上となる領域Ａで螺旋バネ２１のピッチを狭く、それ以外の領域で螺旋バネ２１のピッチを広くした。このことにより、領域Ａでの見かけ上、水の流れ１６の流路断面積８ａが減ることから、領域Ａでの水の流速を速めることができるので、銅パイプ１７の表面温度の上昇を防ぎ、スケール付着量を低減させることができる。なお、所定温度は６０℃、より好ましくは４５℃とすることが望ましい。これは、スケールを含んだ水の温度が約６０℃を超えるとスケール付着量が急激に増加していく傾向があるためである。
【００４０】
つまり、銅パイプ１７の表面温度が所定温度以上になる領域で螺旋バネ２１のピッチが狭くなるように構成したことにより、比較的スケール付着が発生しやすい高温部におけるスケールの付着を軽減することができるとともに、全域で螺旋バネ２１のピッチを狭くするよりも流路の圧力損失を少なくすることができる。
【００４１】
なお、本実施例では、例えば銅パイプ１７の表面温度が６０℃未満の領域では螺旋バネ２１のピッチを１０ｍｍに、６０℃以上の領域ではピッチを６ｍｍとするなど、ピッチを一段階のみ変更しているが、例えば、銅パイプ１７の表面温度が４５℃未満の領域では螺旋バネ２１のピッチを１０ｍｍに、４５℃以上６０℃未満の領域ではピッチを８ｍｍに、６０℃以上の領域ではピッチを６ｍｍにするなど、ピッチを多段階変更させる構成としても良い。
【００４２】
また、本実施例では、螺旋状のガイドとして螺旋バネ２１を用いているが、ケース９やシーズヒータ７と一体とする構成としても良い。
【００４３】
（実施の形態３）
図７は本発明の第３の実施の形態の熱交換器の断面図である。第１の実施の形態に示した図１と異なる点は、下流側で螺旋バネ３１のピッチＨｂを狭く、上流側で螺旋バネ３１のピッチＨａを広くした点である。その他は図１に示した実施の形態１と同様であり、同一番号を伏して詳細な説明を省略する。
【００４４】
以上のように構成された熱交換器について、以下その動作、作用を説明する。
【００４５】
図７のような熱交換器では、水が熱交換されることによって下流側ほど水の温度が高く、かつ水と共に銅パイプの表面温度も高温になるので、スケールの発生も多くなる。しかし、下流側の螺旋バネ３１のピッチを狭くしているため、見かけ上の流路断面積は下流側の８ｃで上流側の８ｂよりも狭くなり、水の流れ１６流速を速めることができるので、比較的スケール付着が発生しやすい下流側におけるスケールの付着を軽減することができるとともに、上流側では螺旋バネ３１のピッチを広くしているため、螺旋バネ３１全域のピッチを狭くするよりも流路の圧力損失を少なくすることができる。
【００４６】
また、図８は螺旋バネ４１のピッチを流路の上流側から下流側になるにしたがって、次第に狭くなるように構成したものである。したがって、スケール付着が発生しやすい下流に行くにしたがって連続的に流速が速くなり、効果的にスケールの付着を軽減することができるとともに、螺旋バネ４１全域のピッチを狭くするよりも流路の圧力損失を少なくすることができる。また、螺旋バネ４１のピッチを連続的に狭くしているため、上流から下流に向けてスムーズに流速を速めることができる。
【００４７】
さらに、図９は螺旋バネ５１のピッチを流路の上流側から下流側に向かって断続的に狭くなる構成にしたものである。したがって、スケール付着が発生しやすい下流に行くにしたがって断続的に流速が速くなり、効果的にスケールの付着を軽減することができるとともに、全域の流路を狭くするよりも流路の圧力損失を少なくすることができる。また、連続的に螺旋バネのピッチを狭める場合と比較し、製造が容易になる。なお、本実施例では、１つの螺旋バネのピッチを変化させる構成としたが、ピッチの異なる複数のバネを用いる構成としても良い。
【００４８】
また、本実施例では、螺旋状のガイドとして螺旋バネ３１、４１、５１を用いているが、ケース９やシーズヒータ７と一体とする構成としても良い。
【００４９】
（実施の形態４）
図１０は本発明の第４実施の形態の衛生洗浄装置を示す断面図である。そして、実施の形態１から３のいずれかの熱交換器を用いた衛生洗浄装置の構成であり、便器６１の上に暖房便座６２と衛生洗浄装置本体６３を設置している。そして、衛生洗浄装置本体６３の中に、熱交換器６４を備え、熱交換された温水が洗浄ノズル６５から噴出して人体６６の局部を洗浄するものである。そして、衛生洗浄装置本体の中には主用部品として遮断弁６７と流量制御装置６８を備えている。その他、制御基板などの部品は、省略する。
【００５０】
このような衛生洗浄装置において、小型でスケールの付着の少ない熱交換器６４を衛生洗浄装置本体６３に内蔵することで、本体の小型化を実現すると共に、熱交換器の長寿命化とともに衛生洗浄装置としての寿命も伸ばすことができ、熱交換器６４はもとより洗浄ノズル６５などが詰まることがなく動作の安定した衛生洗浄装置とすることができる。
【００５１】
特に、円筒状の小型熱交換器とすることで、伸縮する洗浄ノズル６５の設置によって死空間となっていた洗浄ノズル６５の下部に、熱交換器６４を設置することができ、本体全体の小型化に貢献できる。
【００５２】
また、スケールが付着しにくい熱交換器ということで、スケールの流出も抑制されているので、洗浄ノズル６５や流量制御装置６８などでスケールが詰まることなく、安定した動作で長期間使用できる効果がある。
【産業上の利用可能性】
【００５３】
以上のように、本発明にかかる熱交換器とそれを用いた衛生洗浄装置は、発熱体の外周に設けた流路に流向を旋回方向に変換する螺旋状のガイドを備えることで、見かけ上の流路断面積を狭くすることが可能となり、流路を流れる水の流速を速めることで、発熱体と水との境界層を狭くし、発熱体の表面温度を下げることができるため、スケールなどの付着量を低減することができる。これによって、小型で高効率を実現しかつ長寿命な熱交換器を得ることができる。そして、それを用いた衛生洗浄装置は、熱交換器を小型化することで衛生洗浄装置本体の小型化が実現でき、狭いトイレ空間にも容易に設置することができるとともに、長寿命で、かつ動作不良の発生しにくい装置とすることができる。
【図面の簡単な説明】
【００５４】
【図１】本発明の実施形態１における熱交換器の断面図
【図２】同熱交換器の断面図
【図３】同熱交換器の横断面図
【図４】熱交換器内の流れ分布図
【図５】熱交換器内の流れ分布図
【図６】本発明の実施の形態２における熱交換器の断面図
【図７】本発明の実施の形態３における熱交換器の断面図
【図８】同熱交換器の他の実施例を示す熱交換器の断面図
【図９】同熱交換器の他の実施例を示す熱交換器の断面図
【図１０】本発明の実施の形態４における衛生洗浄装置の断面図
【図１１】従来の衛生洗浄装置の断面図
【符号の説明】
【００５５】
７  シーズヒータ（発熱体）
８  流路
９  ケース
１０  螺旋バネ（螺旋状のガイド）
６３  衛生洗浄装置
６４  熱交換器
【図１】
2005226897.tif 000003
【図２】
2005226897.tif 000004
【図３】
2005226897.tif 000005
【図４】
2005226897.tif 000006
【図５】
2005226897.tif 000007
【図６】
2005226897.tif 000008
【図７】
2005226897.tif 000009
【図８】
2005226897.tif 000010
【図９】
2005226897.tif 000011
【図１０】
2005226897.tif 000012
【図１１】
2005226897.tif 000013